(57)【要約】【課題】床板体の上面でマットレスが幅方向にずれ動くのを防止したベッド装置を提供することにある。【解決手段】ベッド本体の上面に設けられる床板体７と、床板体の上面に載置されるマットレス１４と、ベッド本体の幅方向の端部に設けられ、マットレスが床板体の上面で幅方向にずれ動くのを阻止するずれ止め手段１５を具備し、  ずれ止め手段は、一端部に上面に開口するスリット１９が形成された収容部１７を有し、収容部をマットレスの幅方向外方に向けて設けられた保持体１６と、スリットに通されて収容部に上下方向に移動可能に設けられたずれ防止部材２１と、収容部に設けられずれ防止部材の上部がマットレスの幅方向の側面に対向位置するようずれ防止部材を上昇方向に弾性的に付勢したばね２４を具備する。【選択図】      図５
2010194180.tif 000002
【特許請求の範囲】
【請求項１】
ベッド本体と、
このベッド本体の上面に設けられる床板体と、
この床板体の上面に載置されるマットレスと、
上記ベッド本体の幅方向の端部に設けられ、上記マットレスが上記床板体の上面で幅方向にずれ動くのを阻止するずれ止め手段を具備し、
上記ずれ止め手段は、
一端部に上面に開口するスリットが形成された収容部を有し、この収容部を上記マットレスの幅方向外方に向けて設けられた保持体と、
上記スリットに通されて上記収容部に上下方向に移動可能に設けられたずれ防止部材と、
上記収容部に設けられ上記ずれ防止部材の上部が上記マットレスの幅方向の側面に対向位置するよう上記ずれ防止部材を上昇方向に弾性的に付勢した付勢部材と
を具備したことを特徴とするベッド装置。
【請求項２】
上記ベッド本体は、長手方向の端部の幅寸法が中央部の幅寸法よりも大きく設定され、上記床板体の幅寸法は上記ベッド本体の長手方向両端部の幅寸法よりも小さく、かつ中央部の幅寸法よりも大きく設定され、上記マットレスの幅寸法は上記床板体の幅寸法よりも大きく、かつ上記ベッド本体の長手方向両端部の幅寸法よりも小さく設定されていて、
上記ずれ止め手段は、上記保持体の上面によって上記マットレスの長手方向中央部の上記床板体の幅方向の端部から外方へ突出した部分の下面を支持するよう上記ベッド本体の長手方向の中央部に設けられていることを特徴とする請求項１記載のベッド装置。
【請求項３】
上記ベッド本体の長手方向の端部の幅方向の側部には側柵が着脱可能に設けられることを特徴とする請求項１記載のベッド装置。
【発明の詳細な説明】
【技術分野】
【０００１】
この発明は床板体の上面に設けられるマットレスが幅方向にずれ動くのを防止したベッド装置に関する。
【背景技術】
【０００２】
一般に、ベッド装置はベッド本体を有し、このベッド本体には床板体が設けられる。この床板体の上面にはマットレスが載置される。病人や老人などが使用するベッド装置の場合、上記床板体を複数の床部に分割してこれら床部を回動可能に連結する。長手方向中央部に位置する床部はベッド本体に固定し、他の床部は駆動機構によって起伏駆動できるようにした構成の、所謂背上げ式のベッド装置が利用されることが多い。
【０００３】
ベッド装置が背上げ式或いはそうでない場合であっても、上記マットレスが上記床板体上で幅方向にずれ動くのを防止するため、上記ベッド本体の幅方向の端部に、上記マットレスの幅方向の側面に係合するずれ防止部材を設けるようにしている。特許文献１にはベッド装置の中央部にマットレスの側面が当接可能なずれ防止部材を設けることが示されている。
【先行技術文献】
【特許文献】
【０００４】
【特許文献１】特開２００６−１９８３５２号公報
【発明の概要】
【発明が解決しようとする課題】
【０００５】
上記ベッド本体にずれ防止部材を設ける場合、そのずれ防止部材がマットレスの側面に確実に係合してずれ止め効果を発揮できるよう、その高さ寸法を十分に高くすることが望ましい。
【０００６】
しかしながら、ずれ防止部材の高さ寸法を高くすると、利用者がマットレスの幅方向の端部に身体を移動させたり、腰掛けたりすると、マットレスが圧縮変形することで、上記ずれ防止部材が利用者の身体に強く当たることがあり、そのような場合には利用者に不快感を与えるということがあった。
【０００７】
この発明は、マットレスがずれ動くのを確実に防止することができるよう、ベッド本体にずれ防止部材を有するずれ止め手段を設けた場合、利用者がマットレスの端部に身体を移動させたり、腰掛けるなどしてマットレスが圧縮変形しても、利用者にずれ防止部材が強く当たって不快感を与えるということがないようにしたベッド装置を提供することにある。
【課題を解決するための手段】
【０００８】
この発明は、ベッド本体と、
このベッド本体の上面に設けられる床板体と、
この床板体の上面に載置されるマットレスと、
上記ベッド本体の幅方向の端部に設けられ、上記マットレスが上記床板体の上面で幅方向にずれ動くのを阻止するずれ止め手段を具備し、
上記ずれ止め手段は、
一端部に上面に開口するスリットが形成された収容部を有し、この収容部を上記マットレスの幅方向外方に向けて設けられた保持体と、
上記スリットに通されて上記収容部に上下方向に移動可能に設けられたずれ防止部材と、
上記収容部に設けられ上記ずれ防止部材の上部が上記マットレスの幅方向の側面に対向位置するよう上記ずれ防止部材を上昇方向に弾性的に付勢した付勢部材と
を具備したことを特徴とするベッド装置にある。
【０００９】
上記ベッド本体は、長手方向の端部の幅寸法が中央部の幅寸法よりも大きく設定され、上記床板体の幅寸法は上記ベッド本体の長手方向両端部の幅寸法よりも小さく、かつ中央部の幅寸法よりも大きく設定され、上記マットレスの幅寸法は上記床板体の幅寸法よりも大きく、かつ上記ベッド本体の長手方向両端部の幅寸法よりも小さく設定されていて、
上記ずれ止め手段は、上記保持体の上面によって上記マットレスの長手方向中央部の上記床板体の幅方向の端部から外方へ突出した部分の下面を支持するよう上記ベッド本体の長手方向の中央部に設けられていることが好ましい。
【００１０】
上記ベッド本体の長手方向の端部の幅方向の側部には側柵が着脱可能に設けられることが好ましい。
【発明の効果】
【００１１】
この発明によれば、ベッド本体に設けられるずれ止め手段を、収容部を有する保持体、及び上記収容部の上面に開口して形成されたスリットに上下方向に移動可能かつばねによって上昇方向に弾性的に付勢して設けられ上昇したときにマットレスの側面に対向位置するずれ防止部材によって構成した。
【００１２】
そのため、上記マットレスは床板体上で幅方向にずれ動くのが防止され、しかも利用者が身体を移動させたり、マットレスの端部に腰掛けるなどしてマットレスが圧縮され手上記ずれ防止部材が利用者の身体に当たると、このずれ防止部材はばねの付勢力に抗して下方へ弾性的に変位するから、利用者の身体に強く当たって不快感を与えることが防止される。
【図面の簡単な説明】
【００１３】
【図１】この発明の一実施の形態を示すベッド装置の正面図。
【図２】図１に示すベッド装置の平面図。
【図３】ずれ防止手段の保持体を示す正面図。
【図４】上記保持体を示す平面図。
【図５】ずれ止め手段が設けられた固定床部の端部を示す断面図。
【図６】ずれ止め手段のずれ防止部材が下方へ変位した状態を示す固定床部の端部の断面図。
【発明を実施するための最良の形態】
【００１４】
以下、この発明の一実施の形態を図面を参照しながら説明する。
【００１５】
図１はベッド装置の正面図であり、図２は平面図である。このベッド装置はベッド本体１を備えている。このベッド本体１は図１に示すように複数の脚体２によって所定の高さで水平に支持されている。このベッド本体１の長手方向一端にはヘッドボード３が設けられ、他端にはフットボード４が設けられている。
【００１６】
上記ベッド本体１の長手方向中途部は幅方向内方に凹んだ凹部６に形成されている。それによって、上記ベッド本体１の長手方向の放棄ヘッドボード３側に位置する一端部３ａと上記フットボード４側に位置する他端部４ａの幅寸法は、幅方向両側に凹部６が形成された中央部の幅寸法よりも大きくなっている。
【００１７】
上記ベッド本体１の上面には床板体７が設けられる。この床板体７は複数の床部、この実施の形態では５つの各床部７ａ〜７ｅに分割されている。中央に位置する固定床部７ｃは上記ベッド本体１に固定され、この固定床部７ｃの上記ヘッドボード３側を向いた一側には腰床部７ｂと背床部７ａが順次回動可能に連結されている。上記固定床部７ｃの他端には第１の脚床部７ｄと第２の脚床部７ｅが順次回動可能に連結されている。
【００１８】
上記ベッド本体１の下面側には駆動機構９が設けられている。この駆動機構９は上記背床部７ａ、腰床部７ｂ、第１の脚床部７ｄ及び第２の脚床部７ｅを起伏駆動するようになっている。
【００１９】
上記床板体７の幅寸法は上記ベッド本体１の長手方向中央部の幅寸法よりも大きく、長手方向一端部３ａと他端部４ａの幅寸法よりも小さく設定されている。
【００２０】
上記ベッド本体１の長手方向一端部３ａと他端部４ａの幅方向両側上面には、図２に示すように側崎１１を着脱可能に支持することができる各一対の取付け孔１２が開口形成されている。そして、上記ベッド本体１の４箇所に形成された各一対の取付け孔１２のうち、たとえば上記一端部３ａの幅方向一側に上記側柵１１が着脱可能に取り付けられている。
【００２１】
それによって、上記側柵１１と、この側柵１１が設けられた部位に位置する背床部７ａの幅寸法の差によって図２にｄで示す隙間が形成される。この隙間ｄによって可動部材である背床部７ａが起上方向に駆動されたとき、背床部７ａの幅方向の端部と側柵１１内面との間に利用者の身体、たとえば手などが強く挟まるのを防止されるようになっている。
【００２２】
なお、側柵１１をベッド本体１の一端部３ａの幅方向他端部や長手方向他端部４ａの側部に設けた場合にも、同様の隙間ｄが形成されて、側柵１１と背床板７ａや第２の客部材７ｅとの間に身体が強く挟まるのが防止されるようになっている。
【００２３】
上記背床部７ａと腰床部７ｂ、及び第１の脚床部７ｄと第２の脚床部７ｅは、上記駆動機構９によって回動駆動される一対の回動レバー９ａ（図１に背側に位置する一方の回動レバー９ａだけを図示）によって起伏駆動される。
【００２４】
そのため、上記駆動機構９によって各床部が下降方向に駆動されるとき、その床部の下面或いは床部と側柵１１との間などに身体や物などが挟まれても、床部は上昇方向に自由に変位するから、挟み込まれた身体などが強く圧迫されることがない。
【００２５】
上記床板体７の上面には、図１と図２に鎖線で示すウレタンやファイバーなどの材料によって折り曲げ可能に構成されたマットレス１４が載置される。このマットレス１４の幅寸法は、上記床板体７の幅寸法よりも大きく、上記ベッド本体１の一端部及び他端部４ａの幅寸法よりも小さく設定されている。
【００２６】
上記ベッド本体１の長手方向中央部の幅方向両側にはそれぞれずれ止め手段１５が設けられている。このずれ止め手段１５は、図３乃至図６に示すように保持体１６を有する。この保持体１６は前後方向の一端部に中空状の収容部１７が形成され、この収容部１７の上面からは前後方向の他端部に向かって上記上面と同じ高さで取付け片１８が延出されている。図４に示すように、取付け片１８は上記収容部１７よりも幅寸法が短く設定されている。
【００２７】
上記収容部１７の上面には幅方向略全長にわたってスリット１９が開口形成されているこのスリット１９には板状で、上端が凸状の円弧に湾曲したずれ防止部材２１が上下方向に移動可能に通されている。上記ずれ防止部材２１の上記収容部１７内に位置する下端部の幅方向両端部に一側面には、下面が開放した袋状の第１の保持部２２が設けられている。
【００２８】
一対の第１の保持部２２に対向する上記収容部１７の内底部には上面が開放した袋状の一対の第２の保持部２３（図５と図６に示す）が設けられている。対向する各組の第１、第２の保持部２３には付勢部材としてのばね２４の両端部が収容保持されている。
【００２９】
上記ばね２４は、上記ずれ防止部材２１を上昇方向に弾性的に付勢している。それによって、上記ずれ防止部材２１は上端部を上記スリット１９から突出させている。ばね２４によって上昇方向に付勢されたずれ防止部材２１はマットレス１４の側面に対向位置するようになっている。
【００３０】
図５に示すように、上記ずれ防止部材２１の第１の保持部２２が収容部１７の上壁内面に設けられたストッパ２５に当たる上昇限まで上昇したとき、上記ずれ防止部材２１の上端はマットレス１４の厚さの約３分の２の高さに位置するようになっている。
【００３１】
なお、ずれ防止部材２１が上昇限間で上昇したときの上端の高さ位置は、マットレス１４の厚さの３分の２に限られず、それ以上或いはそれ以下であってもよいが、マットレス１４の上面よりも低い位置にあることが望ましい。
【００３２】
また、上記ずれ防止部材２１は、上昇限で上記第１の保持部２２が上記収容部１７の上壁内面に設けられたストッパ２５に当たることで、上記スリット１９から抜出するのが阻止されている。
【００３３】
そして、上記構成のずれ止め手段１５の保持体１５は、図５と図６に示すように上記取付け片１８を上記床板体７の固定床部７ｃの幅方向端部の上面に図示しないねじなどによって固定されて設けられる。
【００３４】
それによって、上記保持体１６の上記収容部１７は図２に示すように上記ベッド本体１の凹部６に位置し、マットレス１４の上記凹部６に位置する部分の下面は、図５と図６に示すように上記保持体１６の上面の上記スリット１９よりも内方の部分によって支持される。
【００３５】
なお、上記ずれ止め手段１５の保持体１６は、床板体７の固定床部７ｃの上面に取り付けたが、ベッド本体１の上面、つまり固定床部７ｃの下面に取り付けるようにしてもよい。要は、上記保持体１６はベッド本体１の直接或いは間接的に取り付けるようにすればよい。
【００３６】
また、上記収容部１７のスリット１９から突出したずれ防止部材２１は上記マットレス１４の上記凹部６に位置する部分の側面に接触或いはわずかな間隔で対向することで、上記マットレス１４が上記床板体７の上面で幅方向にずれ動くのを規制している。
【００３７】
このような構成のベッド装置によれば、床板体７の上面に載置されたマットレス１４は、その長手方向の中央部の幅方向両側面に対向位置する一対のずれ防止部材２１によって幅方向にずれ動くのが制限される。
【００３８】
したがって、背床部７ａと越す床部７ｂ或いは第１、第２の脚床部７ｄ，７ｅなどを起伏駆動したり、上記マットレス上に利用者が載り降りするなどしても、上記マットレス１４が床板体７の上面で幅方向にずれ動くのが防止される。
【００３９】
一対のずれ防止部材２１はばね２４によって上昇方向に弾性的に付勢され、保持体１６の収容部１７の上面のスリット１９から突出している。ずれ防止部材２１の突出高さは図５に示すようにマットレス１４の上面よりも低い位置にあるものの、マットレス１４の幅方向の端部に利用者が身体を移動させたり、その端部に腰掛けたりしてマットレス１４の端部が図６に矢印Ｌで示すように利用者の身体の重さによって圧縮されると、上記ずれ防止部材２１が利用者の身体に当たることになる。
【００４０】
上記ずれ防止部材２１が利用者の身体に当たって押圧されると、このずれ防止部材２１はばね２４を圧縮させながら下方へ変位する。それによって、上記ずれ防止部材２１の上端が利用者の身体を強く押圧するのが防止されるから、利用者に不快感や違和感を与えるのが抑制される。
【００４１】
すなわち、上記構成のずれ止め手段１５によれば、利用者に不快感を与えることなく、床板体７上に載置されたマットレスが幅方向にずれ動くのを防止することができる。
【００４２】
上記ベッド本体１の長手方向中央部の幅方向両側には凹部６が形成されている。この凹部６に介護者が身体を位置させることで、マットレス１４上に仰臥した利用者に近付くことができるから、利用者の介護がし易くなるということがある。
【００４３】
一方、床板体７の起伏駆動される部分と側柵１１との間に身体などが挟み込まれるのを防止するために、マットレス１４の幅寸法をベッド本体１の幅寸法よりも大きくしたことで、上記マットレス１４の幅方向の両端部が床板体７よりも幅方向外方へ突出している。そのため、マットレス１４の突出部分の上面に荷重が加わると、下方へ撓み易いということがある。とくに、ベッド本体１の幅方向中央部の両側は他の部分よりも幅寸法が小さい凹部６に形成されているため、マットレス１４の支持状態が確実でないということがある。
【００４４】
しかしながら、上記マットレス１４の長手方向中央部の幅方向両端部に位置する部分の下面は、上記ずれ止め手段１５の収容部１７の上面によって支持される。そのため、上記マットレス１４の上記凹部６に対応する部分が下方へ撓み難くなるから、利用者が長手奉公の中央部の側部からマットレス１４に載り降りしたり、その側部に手を着いたりしたときなどの安定性を向上させることができる。
【００４５】
上記一実施の形態では床板体が複数の床部に分割され、駆動機構によって起伏駆動される構成のベッド装置を例に挙げて説明したが、ベッド本体に設けられる床板体が起伏駆動されることのない構造の場合であっても、この発明のずれ防止手段を適用することができる。
【符号の説明】
【００４６】
１…ベッド本体、６…凹部、７…床板体、７ａ〜７ｅ…床部、９…駆動機構、１１…側柵、１４…マットレス、１５…ずれ防止部材、２４…ばね（付勢手段）。
【図１】
2010194180.tif 000003
【図２】
2010194180.tif 000004
【図３】
2010194180.tif 000005
【図４】
2010194180.tif 000006
【図５】
2010194180.tif 000007
【図６】
2010194180.tif 000008